(57)【要約】【課題】  犬が嗜好物の効率的な出し方をすぐに習得できず、持続的に興味を持たせることができる犬用知育玩具を提供する。【解決手段】  本発明に係る犬用知育玩具１は、内部に嗜好物を収容可能な筒型の内側容器１０と、内部に内側容器１０を嵌合可能な筒型の外側容器２０とを備え、内側容器１０は、周面の所定の角度位置に内側開口部１１を備え、外側容器２０は、周面の所定の角度位置に外側開口部２１を備え、内側容器１０及び外側容器２０の少なくとも一方は、所定の角度位置とは異なる角度位置にも、開口面積が異なる内側開口部１１又は外側開口部２１を備え、内側開口部１１及び外側開口部２１は、重なることで嗜好物を放出可能な開口部２を形成しており、内側容器１０は、外側容器２０に対して、周方向の向きを変えて嵌合可能であり、内側容器１０の周方向の向きを変えることで開口部２の開口面積が変更可能である。【選択図】  図１
2015082984.tif 000002
【特許請求の範囲】
【請求項１】
内部に嗜好物を収容可能な筒型の内側容器と、
内部に前記内側容器を嵌合可能な筒型の外側容器とを備え、
前記内側容器は、周面の所定の角度位置に内側開口部を備え、
前記外側容器は、周面の所定の角度位置に外側開口部を備え、
前記内側容器及び前記外側容器の少なくとも一方は、前記所定の角度位置とは異なる角度位置にも、開口面積が異なる前記内側開口部又は外側開口部を備え、
前記内側開口部及び前記外側開口部は、重なることで嗜好物を放出可能な開口部を形成しており、
前記内側容器は、前記外側容器に対して、周方向の向きを変えて嵌合可能であり、前記内側容器の周方向の向きを変えることで前記開口部の開口面積が変更可能である犬用知育玩具。
【請求項２】
前記外側容器は、前記内側容器よりも軸方向長さが長く形成されており、
前記内側容器よりも軸方向外側部分には、前記内側容器の両端と係わり合う係止片が前記外側容器の内側へ突出可能に形成される請求項１に記載の犬用知育玩具。
【請求項３】
前記内側容器は、軸方向両端に径方向荷重を支持する補強板が設けられる請求項１又は２に記載の犬用知育玩具。
【請求項４】
前記外側容器及び前記内側容器の断面形状は、互いに相似な正多角形状である請求項１〜３のいずれか一項に記載の犬用知育玩具。
【請求項５】
紙で形成される請求項１〜４のいずれか一項に記載の犬用知育玩具。
【発明の詳細な説明】
【技術分野】
【０００１】
本発明は、犬用知育玩具に関するものである。
【背景技術】
【０００２】
近年、室内で飼育される小型犬の頭数が増えている。犬はもともと野生であるため、室内で飼育されると運動不足やストレス過多に陥りやすい。また、運動不足やストレスの解消のために散歩に連れて行くとしても、飼い主の生活スタイルや体力、天候等により、散歩をさせる時間を十分に取れず、犬が満足するまで運動等をさせることが難しい環境にある。
【０００３】
そこで、従来から、室内で飼育される犬の運動不足やストレスの解消を目的とした様々な玩具が開発されてきた。例えば、飼い主が犬と一緒に遊び、躾をするものとして、犬が噛むことのできるプラスチックの骨、転がり易い球状のゴム及びプラスチック製のボールがある。これらの玩具は、飼い主が、プラスチックの骨やボールを遠くに投げて、玩具をあたかも獲物が存在するかのように操作することにより、犬の好奇心を起こさせて、犬を運動させるものである。飼い主は、犬が好奇心を示しているかどうかを観察して玩具を操作する。
【０００４】
しかし、これらの玩具は、それ自体の動きに変化がないので、犬がすぐに慣れてしまって反応しなくなり、犬に持続的に興味を持たせることができないという課題があった。また、常に飼い主が玩具を操作する必要があるため、飼い主にそのような時間が取れない場合は、犬に運動させる機会が失われ、結果として、犬を運動不足やストレス過多に陥らせるという課題があった。
【０００５】
そこで、近年、これらの問題を解決するため、飼い主を必要とせず、犬が自ら遊ぶことができる玩具が開発されている。このような玩具の一例として、ボールや筒体の中に入れた嗜好物が、犬が転がす度に表面の小さな穴から出てくる仕組みの玩具がある（例えば、特許文献１及び２）。これらの玩具は、犬が遊ぶうちに玩具が転がり、自動的に嗜好物が出てきて食べられる仕組みになっている。犬は嗜好物を食べることで、より一層、食欲が覚醒し、どのようにすれば容器から嗜好物が出てくるかを考え、繰り返し転がしたり、銜えて振り回したりして積極的に自ら遊ぶようになる。犬によっては、その転がし方によって、嗜好物の効率的な出し方を習得するものもおり、これらの玩具は、犬用知育玩具と呼ばれている。これらの犬用知育玩具を用いることで、犬の知育が図られるとともに、嗜好物を出すための行為の繰り返しで遊びに飽きることなく玩具を使用し続け、結果、運動量も増し、ストレスも解消されて、ペットの健康面の向上効果が得られる。
【先行技術文献】
【特許文献】
【０００６】
【特許文献１】実用新案登録第３１０３３５７号公報
【特許文献２】特開２０００−１２５６８９号公報
【発明の概要】
【発明が解決しようとする課題】
【０００７】
しかしながら、このような犬が自ら遊ぶことができる犬用知育玩具においても、犬が嗜好物の効率的な出し方をすぐに習得し、反応しなくなる、持続的に興味を持たせることができないという問題が生じていた。
【０００８】
本発明は、上記課題を解決するためになされたものであり、犬が嗜好物の効率的な出し方をすぐに習得できず、持続的に興味を持たせることができる犬用知育玩具を提供する。
【課題を解決するための手段】
【０００９】
本発明に係る犬用知育玩具は、内部に嗜好物を収容可能な筒型の内側容器と、内部に前記内側容器を嵌合可能な筒型の外側容器とを備え、前記内側容器は、周面の所定の角度位置に内側開口部を備え、前記外側容器は、周面の所定の角度位置に外側開口部を備え、前記内側容器及び前記外側容器の少なくとも一方は、前記所定の角度位置とは異なる角度位置にも、開口面積が異なる前記内側開口部又は外側開口部を備え、前記内側開口部及び前記外側開口部は、重なることで嗜好物を放出可能な開口部を形成しており、前記内側容器は、前記外側容器に対して、周方向の向きを変えて嵌合可能であり、前記内側容器の周方向の向きを変えることで前記開口部の開口面積が変更可能である。
【００１０】
本発明の犬用知育玩具によると、外側容器に対して内側容器の周方向の向きを変えて挿入して、互いに重ね合わせる外側開口部と内側開口部との組み合わせを異ならせることによって、内側開口部及び外側開口部により形成される、嗜好物を放出するための開口部の開口面積を変えることができる。これにより、開口部を介して嗜好物を犬用知育玩具から出し易くも出し難くもすることができる。よって、段階を追って嗜好物を出し難くすると、犬は嗜好物の出方の段階を調節される度に、再度嗜好物の効率的な出し方を習得し直すこととなり、新たにどのようにすれば犬用知育玩具から嗜好物が出てくるかを考えて、繰り返し転がしたり銜えて振り回したりして遊ぶため、犬用知育玩具に持続的に興味を抱かせることができる。
【００１１】
上記犬用知育玩具において、外側容器は、内側容器よりも軸方向長さが長く形成されており、内側容器よりも軸方向外側部分には、内側容器の両端と係わり合う係止片が外側容器の内側へ突出可能に形成されることができる。このような構成とすることで、内側容器を外側容器の内方に位置させて、内側容器の両端を外側容器で覆うことができるとともに、係止片により、犬が犬用知育玩具で遊ぶうちに内側容器が外側容器から飛び出さないようにすることができる。これにより、通常内側容器の両端に設けられる嗜好物を入れるための蓋が外部に現れなくなるため、犬が内側容器の蓋をこじ開けて嗜好物を取り出そうとすることを防止することができる。
【００１２】
また、上記犬用知育玩具において、内側容器は、軸方向両端に径方向荷重を支持する補強板が設けられることができる。このような補強板を備えることで、犬が犬用知育玩具に乗ったとしても犬用知育玩具が径方向に押し潰されることを抑制することができる。
【００１３】
また、上記犬用知育玩具において、外側容器及び内側容器の断面形状は、互いに相似な正多角形状とすることができる。このような構成とすることで、外側開口部と内側開口部とを合わせ易くなり、簡単に犬用知育玩具を組み立てることができる。
【００１４】
また、上記犬用知育玩具は、紙で形成されることができる。紙で形成することで、犬用知育玩具の製造コストを安価にすることができる。また、犬が犬用知育玩具を使用し続けると、犬用知育玩具に自分の臭いが付着し、犬用知育玩具を固体認識して自分の仲間と思い込み、攻撃しなくなる。しかしながら、紙で形成することで、臭いが付いた頃に安価で買い換えることができるので、長期にわたって犬用知育玩具に犬の興味を引き付けることができる。
【発明の効果】
【００１５】
本発明の犬用知育玩具によると、嗜好物を取り出す困難度を変えることができるために、犬を飽きさせず、犬に持続的に興味を持たせることができる。
【図面の簡単な説明】
【００１６】
【図１】本発明の犬用知育玩具の一実施形態を示す斜視図である。
【図２】図１の犬用知育玩具の内側容器の斜視図である。
【図３】図２の内側容器の展開図である。
【図４】図２の内側容器の組み立て段階を示す斜視図である。
【図５】図１の犬用知育玩具の外側容器の斜視図である。
【図６】図５の外側容器の展開図である。
【図７】本発明の犬用知育玩具の他の実施形態を示す斜視図である。
【図８】本発明の犬用知育玩具の他の実施形態を示す斜視図である。
【図９】本発明の犬用知育玩具の他の実施形態を示す斜視図である。
【図１０】本発明の犬用知育玩具の他の実施形態を示す斜視図である。
【発明を実施するための形態】
【００１７】
以下、本発明に係る犬用知育玩具１の一実施形態について添付図面を参照して説明する。
【００１８】
図１に示すように、本発明に係る犬用知育玩具１は、内部に嗜好物を収容可能な筒型の内側容器１０と、内部に内側容器１０を嵌合可能な筒型の外側容器２０とを備えている。
【００１９】
図２〜図４に示すように、内側容器１０は、筒状の本体部１１と、本体部１１の軸方向両端に設けられる蓋部１２とを備えている。本実施形態では、本体部１１は断面正六角形状に形成されており、蓋部１２も本体部１１の断面形状と同一の正六角形状に形成されている。本体部１１の断面及び蓋部１２の大きさは、面積が約２３〜４６ｃｍ２で、直径が約６〜８ｃｍであることが好ましい。この大きさとすることで、小型犬が犬用知育玩具１を銜え難くなる。
【００２０】
本体部１１と蓋部１２とは、蓋部１２の一辺が、本体部１１の両端周縁の一辺と一体的に接続されることにより取り付けられている。蓋部１２は、この一辺を支点として本体部１１に対して開閉可能となっており、この蓋部１２を開くことで内側容器１０の内部に嗜好物を挿入できるようになっている。
【００２１】
また、本体部１１の軸方向両端の周縁には、補強板１４が取り付けられている。補強板１４は、本体部１１の径方向長さと略同等の長さで形成されている。この補強板１４が、取り付け位置から対向する位置まで延びることで、内側容器１０の径方向に掛かる荷重を支持している。本実施形態では、蓋部１２を取り付ける辺と対角の辺に強板１４が取り付けられている。なお、補強板１４は、１個に限られず、２個以上を互いに交差させて設けることも可能であるし、必ずしも蓋部１２を取り付ける位置と対向する位置に設けられる必要はない。
【００２２】
さらに本実施形態では、本体部１１及び蓋部１２には、本体部１１と蓋部１２とを接続する一辺の両隣の辺に、扇形状に形成された閉塞板１３が取り付けられている。閉塞板１３は、内側容器１０の内部へ折り畳み可能となっており、蓋部１２の開閉に伴って広がったり折り畳まれたりするようになっている。また、蓋部１２には、閉塞板１３が取り付けられる辺と隣接する辺に、本体部１１の内部へ差し込む差込板１６が取り付けられている。このように本体部１１と蓋部１２との間には閉塞板１３、差込板１６及び補強板１４が設けられて、本体部１１と蓋部１２との隙間が塞がれているため、内部容器１０の内部に収容された嗜好物が蓋部１２と本体部１１との隙間から出てしまうことを防止することができる。
【００２３】
内側容器１０の周面には、複数の異なる角度位置に内側開口部１５が設けられている。内側開口部１５は、嗜好物が放出可能な大きさの円形状の孔１５１から構成されており、各角度位置において軸方向に備える孔１５１の個数を変えることにより、各角度位置における内側開口部１５の開口面積を変えている。本実施形態では、６面で形成される内側容器１０の周面のうちの互いに隣接する３面に、つまりは周方向に６０度ずつずれた位置に内側開口部１５が形成されており、第１の面には１個の孔１５１からなる内側開口部１５が、第２の面には３個の孔１５１からなる内側開口部１５が、第３の面には２個の孔１５１からなる内側開口部１５がそれぞれ形成されている。なお、内側開口部１５を設ける面は３面である必要はなく、２面でも４面以上でも良い。また、孔１５１の個数も１〜３個に限られず、任意の個数とすることができる。
【００２４】
図５及び図６に示すように、本実施形態では、外側容器２０は、断面正六角形状の筒型に形成されている。外側容器２０の断面形状は、内側容器１０を隙間なく嵌め合わせることができる大きさに形成されており、外側容器２０の軸方向長さは、内側容器１０の軸方向長さよりも長く形成されている。この外側容器２０の軸方向長さは、内側容器１０の蓋部１２が隠れれば良いが、内側容器１０より約１０ｍｍ程度長くすることが好ましい。
【００２５】
６面で形成される外側容器２０の周面のうち、所定の角度位置をなす１個の周面には、外側開口部２１が設けられている。外側開口部２１は、内側容器１０の複数の異なる角度位置に設けられる内側開口部１５の中で最も開口面積の広い内側開口部１５を包含する大きさに形成されており、本実施形態では、内側容器１０の第２の面に設けられる３個の孔１５１を包含する大きさに形成されている。
【００２６】
また、外側容器２０の軸方向両端部には、外側容器２０の内側へ突出可能な係止片２２が形成されている。係止片２２は、内側容器１０を間に挟むようにして外側容器２０の周面に周方向に延びる切り込み２３を入れることで、その切り込み２３より軸方向外側部分の外側容器２０の周面により構成される。係止片２２は、押し込むことで内方に突出し、内部容器１０の両端と係合する。この状態から外側に引っ込めて元の状態に戻すことで内側容器１０の両端との係合が外れる。本実施形態では、切り込み２３が、正六角形の６個の頂点の内の１個置きの３個の頂点から隣接する２面へと周方向に延びて形成されている。なお、係止片２２の個数は、３個に限られず、１個でも２個でも４個以上でも良い。また、必ずしも正六角形の頂点の１個置きに形成される必要もなく、任意の箇所に形成することができる。さらには、係止片２２はこのような形態に限られず、外側容器２０の、内側容器１０よりも軸方向外側部分に取り付けられ、内側容器１０が外側容器２０の内部に挿入できるように外側容器２０の内方へ出没可能であれば、既知の任意の形態を採用し得る。
【００２７】
犬用知育玩具１は、係止片２２を引っ込めた状態で、外側容器２０の内部に内側容器１０を挿入し、係止片２２を突出させて内側容器１０の両端と係わり合わせることで組み立てられる。このとき、内側開口部１５と外側開口部２１とが重なることで形成される開口が、内側容器１０内に保持されている嗜好物を放出するための開口部２となる。
【００２８】
犬用知育玩具１、すなわち内側容器１０及び外側容器２０は、例えば、ポリエチレン、ポリプロピレン、ポリスチレン、ABS樹脂、塩化ビニル樹脂、メタクリル酸メチル樹脂、ナイロン、フッ素樹脂、ポリカーボネート、ポリエステル樹脂、フェノール樹脂、尿素樹脂、メラミン樹脂、不飽和ポリエステル樹脂、エポキシ樹脂、ケイ素樹等からなる耐久性のある熱可塑性樹脂及び熱硬化性樹脂や、木、紙、ダンボールのシート素材等を使用することができる。これらの素材は、透明でも、半透明でも、不透明でも良い。また、内側容器１０及び外側容器２０は、全て同一の素材により形成する必要はなく、さらに全体又は一部を可食材料とすることもできる。例えば、内側容器１０及び外側容器２０の素材として、耐久性のある熱可塑性樹脂及び熱硬化性樹脂を使用すると、犬用知育玩具１は、犬に噛まれても耐え得る耐久性を得ることができる。一方で、木、紙、ダンボールのシート素材を使用すると、犬用知育玩具１の製造コストを抑えることができる。
【００２９】
また、犬用知育玩具１には、例えば、消臭剤、芳香剤又は誘引剤を添加することもできる。犬は、自分の臭いが付着すると、これを固体認識して自分の仲間と思い込み、その結果、犬用知育玩具１を攻撃しなくなる。そこで、消臭剤、芳香剤又は誘引剤を用いると、犬用知育玩具１に付着した犬の臭いを消したり、犬を誘引させるような香りによって犬を刺激したりすることができ、犬用知育玩具１に犬の興味を引き付け易くなる。
【００３０】
さらに、犬用知育玩具１に音を出す装置（図示せず）を取り付けたり、犬用知育玩具１の外面を、犬が興奮するような色地、犬の目に刺激を与える模様の絵柄を印刷したりすることもできる。特に、犬用知育玩具１を透明色や自然色に近い色にすると、犬の目に写り難く犬の反応が鈍くなるため、視覚的に目立たせて犬用知育玩具１の存在に犬が気付き易くすることが好ましい。
【００３１】
次に、犬用知育玩具１の使用方法について説明する。飼い主は、外側容器２０の係止片２２を引っ込めて、外側容器２０内をスライドさせて内側容器１０を出す。そして、内側容器１０の蓋部１２を開けて内側容器１０の内部に嗜好物を入れる。その後、蓋部１２を閉じて、外側容器２０の内部に嵌め込む。それから、係止片２２を突出させて内側容器１０を外側容器２０の内部に係止する。
【００３２】
嗜好物の出し方の困難度は、内側容器１０を外側容器２０に嵌め込む際に、内側容器１０の周方向の向きを変えることで調節する。すなわち、最も孔１５１の数が多い内側開口部１５が設けられる第２の面と、外側開口部２１が設けられる面とが対向する向きで内側容器１０を外側容器２０の内部に嵌合させると、内側開口部１５と外側開口部２１とから形成される開口部２は開口面積が広くなる。この場合は、内側容器１０内に収容された嗜好物を出し易くなる。一方、最も孔１５１の数が少ない内側開口部１５が設けられる第１の面と、外側開口部２１が設けられる面とが対向する向きで内側容器１０を外側容器２０の内部に嵌合させると、内側開口部１５と外側開口部２１とから形成される開口部２は開口面積が狭くなる。この場合には、内側容器１０内に収容された嗜好物を出し難くなる。飼い主は、犬の様子に応じて、どの面の内側開口部１５を、外側開口部２１と合わせるかを選択して、嗜好物を取り出す困難度を調節する。
【００３３】
内部容器１０の内部に嗜好物がなくなると、内部容器１０を外部容器２０から取り出して、内部容器１０内に嗜好物を補充する。
【００３４】
以上のように、本実施形態では、外側容器２０に対して内側容器１０の周方向の向きを変えて嵌め込み、内側容器１０の周面の複数の角度位置に設けられる互いに開口面積が異なる内側開口部１５のいずれかを外側開口部２１に対向させることで、嗜好物が放出される開口部２の開口面積を変えることができる。これにより、開口部２の開口面積を広くして嗜好物を出し易くしたり、開口部２の開口面積を狭くして嗜好物を出し難くしたりすることができる。よって、段階を追って嗜好物を出し難くすると、犬は嗜好物を取り出す困難度を調節される度に、再度嗜好物の効率的な出し方を習得し直すこととなり、新たにどのようにすれば犬用知育玩具１から嗜好物が出てくるかを考えて、繰り返し転がしたり銜えて振り回したりして遊ぶ。その結果、犬用知育玩具１に対して、犬に好奇心を起こさせ、継続的かつ自主的な興味を与えることができ、犬用知育玩具１で長期にわたり遊ばせることも出来る。また、飼い主は、自ら困難度を段階的に調整できるため、犬の様子を楽しみながら困難度を変化させて一緒に遊ぶことができ、飼い主、犬の双方が毎回新鮮な興奮を味わえ、犬の運動不足、ストレスを解消、脳を活性化させることができる。
【００３５】
また、本実施形態では、外側容器２０は、内側容器１０よりも軸方向長さが長く形成されており、外側容器２０には内側容器１０を挟むようにして係止片２２が設けられている。そのため、内側容器１０の両端に設けられる嗜好物を入れるための蓋部１２を犬から見え難くできるとともに、犬が犬用知育玩具１で遊んでいるうちに内側容器１０が横滑りして外側容器２０から出てしまうことを防止できる。特に犬用知育玩具１が紙で形成されている場合には、犬は、犬用知育玩具１で遊ぶ際に、蓋部１２が犬用知育玩具１の最も弱い部分であることを学習し、蓋部１２を潰したり噛みちぎったりする。しかし、上記構成を採用することで、内側容器１０の蓋部１２が外側に現れなくなるため、犬が内側容器１０の蓋部１２をこじ開けて嗜好物を取り出そうとすることを防止することができる。
【００３６】
また、本実施形態では、内側容器１０の軸方向両端には補強板１４が設けられている。加えて、係止片２２が内側容器１０の両端と係わり合うことで、犬用知育玩具１に径方向からの荷重が掛かっても、蓋部１２が本体部１１から外れて開き、それに伴って補強板１４が軸方向外側へ撓むことが防止されている。これにより、犬が犬用知育玩具１に乗ったとしても犬用知育玩具１が径方向に押し潰されることを抑制することができる。
【００３７】
これらの構成を備えることにより、犬用知育玩具１にコストの安価な紙材を使用しても、犬に潰されたり噛みちぎられたりすることなく、犬用知育玩具１で長期にわたって遊ぶことができる。また、犬は、犬用知育玩具１に自分の臭いが付着すると、犬用知育玩具１を固体識別して自分の仲間と思い込み、攻撃しなくなるが、犬用知育玩具１を紙で製造することによって、臭いが付着した頃に安価で買い換えることできるので、長期にわたって犬用知育玩具１に犬の興味を引き付けることができる。
【００３８】
以上、本発明の一実施形態について説明したが、本発明は上記形態に限定されるものではなく、その趣旨を逸脱しない限りにおいて、種々の変更が可能である。例えば、上記実施形態では、開口部２の開口面積を変えるために、内側容器１０に互いに開口面積の異なる内側開口部１５を異なる複数の角度位置に設ける構成としたが、必ずしもこの構成に限られない。例えば、図７に示すように、外側容器２０に、互いに開口面積の異なる外側開口部２１を異なる複数の角度位置に設け、内側容器１０には、外側容器２０の複数の異なる角度位置に設けられる外側開口部２１の中で最も開口面積の広い外側開口部２１を包含する大きさに形成される構成としても良い。
【００３９】
また、内側容器１０に形成する内側開口部１５の形状も、同一の大きさの円形状の孔１５１の個数を変えることにより開口面積を変える形態に限られず、孔１５１の個数を統一し大きさ、つまり直径、軸方向長さ又は幅方向長さを変えることにより開口面積を変えることができる。例えば、図８に示すように、第１の面には３個の小さい孔１５１ａからなる内側開口部１５が、第２の面には３個の中くらいの孔１５２ａからなる内側開口部１５が、第３の面には３個の大きな孔１５３ａからなる内側開口部１５が形成されることにより、各内側開口部１５の開口面積が変えられるようにしても良い。また、図９に示すように、第１の面には１個の軸方向長さの短い孔１５１ｂからなる内側開口部１５が、第２の面には１個の軸方向長さの長い孔１５２ｂからなる内側開口部１５が、第３の面には１個の軸方向長さが中くらいの孔１５３ｂからなる内側開口部１５が形成されることにより、各内側開口部１５の開口面積が変えられるようにしても良い。なお、このような孔の大きさを変えることにより開口面積を変える手段は、図７における実施形態で外側容器２０に複数種類の外側開口部２１を設ける場合にも適用できる。
【００４０】
また、図１、図８及び図９で示す実施形態のように、内側容器１０に複数個の内側開口部１５を設け、外側容器２０に１個の外側開口部２１を設ける構成、及び、図７で示す実施形態のように、外側容器２０に複数個の外側開口部２１を設け、内側容器１０に１個の内側開口部１５を設ける構成に限られず、図１０に示すように、内側容器１０及び外側容器２０にそれぞれ複数個の内側開口部１５及び外側開口部２１を設ける構成としても良い。その他にも、内側開口部１５及び外側開口部２１を設ける角度位置の個数、各内側開口部１５及び各外側開口部２１の孔の形状、大きさ、数等は任意に設計することができる。
【００４１】
また、内側開口部１５及び外側開口部２１から形成される開口部２の大きさは、必ずしも嗜好物が放出される大きさにする必要はない。例えば、内側開口部１５及び外側開口部２１の種々の組み合わせによって変えられる開口部２のうちの１つの開口部２を、嗜好物が放出されない大きさとすることができる。この場合、嗜好物は放出されないが、嗜好物の匂いは放出されるため、その匂いによって犬用知育玩具１に犬の興味を引き付けることができる。このように犬用知育玩具１に、嗜好物が放出されない大きさの開口部２を備えることで、飼い主は、嗜好物が放出されない大きさの開口部２となるように内側開口部１５と外側開口部２１とを合わせ、嗜好物を与えずに、嗜好物の匂いだけで犬を犬用知育玩具１で遊ばせることもできる。
【００４２】
また、上記実施形態では、内側容器１０及び外側容器２０の断面形状を正六角形としたが、必ずしも正六角形である必要はなく、互いに隙間なく嵌まる相似な任意の正多角形、楕円形状、星型正多角形状等を採用することができる。また、犬用知育玩具１を熱可塑性樹脂や熱硬化性樹脂で形成する場合には、外側容器２０の外周面を断面円形、内周面を正多角形状とし、内側容器１０の外周面を外側容器２０の内周面に隙間なく嵌まる正多角形状としても良い。外周面が円形に近いほど、犬が犬用知育玩具１を転がし易いため好ましい。いずれの場合であっても、小型犬が犬用知育玩具１を銜え難くするために、内側容器１０及び外側容器２０の断面形状の大きさは、面積が約２３〜４６ｃｍ２で、直径が約６〜８ｃｍとすることが好ましい。
【符号の説明】
【００４３】
１      犬用知育玩具
２      開口部
１０    内側容器
１２    蓋部
１３    閉塞板
１４    補強板
１５    内側開口部
１６    差込板
２０    外側容器
２１    外側開口部
２２    係止片
【図１】
2015082984.tif 000003
【図２】
2015082984.tif 000004
【図３】
2015082984.tif 000005
【図４】
2015082984.tif 000006
【図５】
2015082984.tif 000007
【図６】
2015082984.tif 000008
【図７】
2015082984.tif 000009
【図８】
2015082984.tif 000010
【図９】
2015082984.tif 000011
【図１０】
2015082984.tif 000012